(57)【要約】【課題】電波状態の悪い環境下においてもスムーズに短時間で画像データの送信を行うことができる携帯端末装置を提供すること。【解決手段】他の端末装置と少なくとも映像の送受信可能な携帯端末装置であって、受信した電波強度を検出する検出手段と、前記映像を前記他の端末装置に送信する送信手段と、前記送信手段によって前記他の端末装置に送信する映像を、所定のビットレートにてエンコード処理するエンコード処理手段と、前記電波強度に基づいて、前記エンコード処理手段によるエンコード処理における前記所定のビットレートの値を決定するエンコードルール設定手段と、を具備する。【選択図】      図７
2008067226.tif 000002
【特許請求の範囲】
【請求項１】
他の端末装置と少なくとも映像の送受信可能な携帯端末装置であって、
受信した電波強度を検出する検出手段と、
前記映像を前記他の端末装置に送信する送信手段と、
前記送信手段によって前記他の端末装置に送信する映像を、所定のビットレートにてエンコード処理するエンコード処理手段と、
前記電波強度に基づいて、前記エンコード処理手段によるエンコード処理における前記所定のビットレートの値を決定するエンコードルール設定手段と、
を具備することを特徴とする携帯端末装置。
【請求項２】
他の端末装置と少なくとも映像の送受信可能な携帯端末装置であって、
前記映像を前記他の端末装置に送信する送信手段と、
前記送信手段によって前記他の端末装置に送信する映像を、所定のビットレートにてエンコード処理するエンコード処理手段と、
受信した電波強度に基づいて値を算出し、当該値に基づいて前記エンコード処理手段によるエンコード処理における前記所定のビットレートの値を決定するエンコードルール設定手段と、
を具備することを特徴とする携帯端末装置。
【請求項３】
前記電波強度が所定値よりも低下したと判定された場合には、前記エンコードルール設定手段は、前記エンコード処理手段による前記エンコード処理における前記所定のビットレートの値を低い値に設定することを特徴とする請求項１に記載の携帯端末装置。
【請求項４】
他の端末装置と少なくとも映像の送受信可能な携帯端末装置であって、
受信した電波の感度を検出する受信電波感度検出手段と、
前記受信電波感度検出手段による検出結果から、前記受信した電波の受信感度を表す感度指数を算出する感度指数算出手段と、
前記映像を前記他の端末装置に送信する送信手段と、
前記送信手段によって前記他の端末装置に送信する映像を、所定のビットレートにてエンコード処理するエンコード処理手段と、
前記感度指数算出手段により算出された前記感度指数の値が、所定の閾値を超えたか否かを判定する指数判定手段と、
前記指数判定手段による判定結果に基づいて、前記エンコード処理手段による前記エンコード処理における前記所定のビットレートの値を決定するエンコードルール設定手段と、
を具備することを特徴とする携帯端末装置。
【請求項５】
前記エンコードルール設定手段は、
前記指数判定手段によって前記感度指数が前記所定の閾値を超えたと判定された場合には、前記エンコード処理手段による前記エンコード処理における前記所定のビットレートの値を低い値に設定することを特徴とする請求項４に記載の携帯端末装置。
【発明の詳細な説明】
【技術分野】
【０００１】
本発明は、携帯電話機等の携帯端末装置に関し、特に画像データの送受信を行うことが可能な携帯端末装置に関する。
【背景技術】
【０００２】
近年、テレビ電話機能を有する携帯電話機が増加している。このテレビ電話機能を有する携帯電話機に関連する技術として、例えば特許文献１に以下のような技術が開示されている。
【０００３】
すなわち、特許文献１には、テレビ電話機能を有する携帯電話機であって、ポケッタブルサイズ且つ多様な操作を行い得る携帯電話機が開示されている。この特許文献１に開示された技術によれば、利便性が高く且つテレビ電話機能を有する携帯電話機が提供される。
【特許文献１】特開平１０―６５７８０号公報
【発明の開示】
【発明が解決しようとする課題】
【０００４】
ところで、携帯電話機の利用環境が電波状態の悪い環境である場合には、例えば次のような状況が生じる。すなわち、例えばテレビ電話機能を利用する場合のように、通信相手先の携帯電話機に送信する画像データのデータ量が大きい場合、電波状態の悪い環境下では画像データの送信に要する時間が非常に長くなってしまう。そして、このことは、画像データ送信側の携帯電話機のユーザー及び画像データ受信側の携帯電話機のユーザーの双方にストレスを与えてしまう。このような事情から、電波状態の悪い環境下においても、スムーズな画像データの送信を行うことを可能とする技術が望まれている。
【０００５】
なお、前記特許文献１には、電波状態の悪い環境下においてもスムーズに画像データの送信を行うことを可能とする技術に関して開示は勿論、示唆すらされていない。
【０００６】
本発明は、前記の事情に鑑みてなされたもので、電波状態の悪い環境下においてもスムーズに短時間で画像データの送信を行うことができる携帯端末装置を提供することを目的とする。
【課題を解決するための手段】
【０００７】
前記の目的を達成するために、本発明の第１の態様による携帯端末装置は、他の端末装置と少なくとも映像の送受信可能な携帯端末装置であって、受信した電波強度を検出する検出手段と、前記映像を前記他の端末装置に送信する送信手段と、前記送信手段によって前記他の端末装置に送信する映像を、所定のビットレートにてエンコード処理するエンコード処理手段と、前記電波強度に基づいて、前記エンコード処理手段によるエンコード処理における前記所定のビットレートの値を決定するエンコードルール設定手段と、を具備することを特徴とする。
【０００８】
前記の目的を達成するために、本発明の第２の態様による携帯端末装置は、他の端末装置と少なくとも映像の送受信可能な携帯端末装置であって、前記映像を前記他の端末装置に送信する送信手段と、前記送信手段によって前記他の端末装置に送信する映像を、所定のビットレートにてエンコード処理するエンコード処理手段と、受信した電波強度に基づいて値を算出し、当該値に基づいて前記エンコード処理手段によるエンコード処理における前記所定のビットレートの値を決定するエンコードルール設定手段と、を具備することを特徴とする。
【０００９】
前記の目的を達成するために、本発明の第３の態様による携帯端末装置は、他の端末装置と少なくとも映像の送受信可能な携帯端末装置であって、受信した電波の感度を検出する受信電波感度検出手段と、前記受信電波感度検出手段による検出結果から、前記受信した電波の受信感度を表す感度指数を算出する感度指数算出手段と、前記映像を前記他の端末装置に送信する送信手段と、前記送信手段によって前記他の端末装置に送信する映像を、所定のビットレートにてエンコード処理するエンコード処理手段と、前記感度指数算出手段により算出された前記感度指数の値が、所定の閾値を超えたか否かを判定する指数判定手段と、前記指数判定手段による判定結果に基づいて、前記エンコード処理手段による前記エンコード処理における前記所定のビットレートの値を決定するエンコードルール設定手段と、を具備することを特徴とする。
【発明の効果】
【００１０】
本発明によれば、電波状態の悪い環境下においてもスムーズに短時間で画像データの送信を行うことができる携帯端末装置を提供することができる。
【発明を実施するための最良の形態】
【００１１】
［第１実施形態］
以下、図面を参照して本発明の第１実施形態に係る携帯電話機を説明する。
【００１２】
図１は、本発明の第１実施形態に係る携帯電話機の構成を示すブロック図である。
【００１３】
同図において、図示しない基地局から送信された無線信号は、アンテナ１１で受信されたのちアンテナ共用器（ＤＵＰ）１２を介して受信回路（ＲＸ）１３に入力される。受信回路１３は、前記受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、前記周波数シンセサイザ１４から発生される局部発振信号の周波数は、マイクロコンピュータ（ＣＰＵ；Ｃｅｎｔｒａｌ  Ｐｒｏｃｅｓｓｉｎｇ  Ｕｎｉｔ）等から成る制御ユニット２３から出力される制御信号ＳＹＣによって指示される。
【００１４】
受信感度検出回路４１は、前記受信回路１３で生成された中間周波信号より、或いは前記受信ベースバンド信号より、当該無線信号の受信電界強度を示す信号である受信信号強度表示信号ＲＳＳＩ（Ｒｅｃｅｉｖｉｎｇ  Ｓｉｇｎａｌ  Ｓｔｒｅｎｇｔｈ  Ｉｎｄｉｃａｔｏｒ）を検出する。
【００１５】
また、前記制御ユニット２３は、当該無線信号におけるＳＮＩＲ（Ｓｉｇｎａｌ  ｔｏ  Ｎｏｉｓｅ  Ｒａｔｉｏ；ＳＮ比）を算出する。このＳＮＩＲはＣ／Ｉとも称され、一般にＡＴ（端末側）からＡＮ（網側）へ通知するＤＲＣ（Ｄａｔａ  Ｒａｔｅ  Ｃｏｎｔｒｏｌ  ；ＡＴが要求する下り信号の通信速度であり、ＡＮによって決定される）の決定の際に用いられる。なお、図２は、ＥＶＤＯシステム Ｒｅｖ．Ａにおける前記ＳＮＩＲ（Ｃ／Ｉ）対前記ＤＲＣの対応をとった一例を示す図である。前記ＳＮＩＲ（Ｃ／Ｉ）と前記ＤＲＣとの対応関係は、例えば同図に示すようになっているものとする。
【００１６】
なお、前記ＲＳＳＩ及び前記ＳＮＩＲは共に、後述する電波感度の状態チェック（図７に示すフローチャート参照）に用いられるパラメータである。
【００１７】
ところで、前記受信ベースバンド信号はＣＤＭＡ信号処理ユニット１６に入力される。このＣＤＭＡ信号処理ユニット１６はＲＡＫＥ受信機を備える。ＲＡＫＥ受信機では、前記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）１７に入力される。
【００１８】
前記コンパンダ１７は、前記ＣＤＭＡ信号処理ユニット１６から出力された受信パケットデータを多重分離部によりメディアごとに分離する。そして、この分離されたメディアごとのデータに対しそれぞれ復号処理を行う。例えば、通話モードにおいては、受信パケットデータに含まれている通話音声等のオーディオデータをスピーチコーデックにより復号する。
【００１９】
また、本第１実施形態に係る携帯電話機はいわゆるテレビ電話機能を有するが、テレビ電話のように、受信パケットデータにビデオデータが含まれていれば、前記コンパンダ１７は、該ビデオデータをビデオコーデックにより復号する。
【００２０】
前記復号処理により得られたディジタルオーディオ信号は、ＰＣＭ符号処理ユニット（以後ＰＣＭコーデックと称する）１８に供給される。ＰＣＭコーデック１８は、コンパンダ１７から出力されたディジタルオーディオ信号をＰＣＭ復号してアナログオーディオ信号を出力する。このアナログオーディオ信号は、受話増幅器１９にて増幅されたのちスピーカ２０より出力される。
【００２１】
なお、オーディオ再生モードが設定されている場合には、制御ユニット２３は記憶ユニット２４から該当するオーディオコンテンツを読み出し、このオーディオコンテンツを復号処理したのち前記ＰＣＭコーデック１８及び受話増幅器１９を介してスピーカ２０から拡声出力する。
【００２２】
ところで、前記コンパンダ１７により復号されて生成した画像データは、制御ユニット２３に入力される。制御ユニット２３は、前記コンパンダ１７から出力された画像データを、ビデオＲＡＭを介してディスプレイ２８に表示する。なお、制御ユニット２３は、受信された画像データばかりでなく、後述するカメラ３３により撮像された画像データについてもビデオＲＡＭを介してディスプレイ２８に表示する。
【００２３】
また、前記コンパンダ１７は、受信パケットが電子メールの場合には、この電子メールを制御ユニット２３に供給する。制御ユニット２３は、前記電子メールを記憶ユニット２４に保存する。そして、入力デバイス２７の操作状態に応じて、記憶ユニット２４から前記電子メールを読み出し、この電子メールをディスプレイ２８に表示する。
【００２４】
一方、通話モードにおいて、マイクロホン２１に入力された話者の音声信号は、送話増幅器２２により適正レベルまで増幅されたのち、ＰＣＭコーデック１８によりＰＣＭ符号化処理が施されてディジタルオーディオ信号となり、コンパンダ１７に入力される。また、後述するカメラ３３から出力される画像データは、制御ユニット２３によりディジタル化されてコンパンダ１７に入力される。なお、制御ユニット２３において作成された電子メールも、制御ユニット２３からコンパンダ１７に入力される。
【００２５】
ここで、前記カメラ３３は撮像を行う為のカメラである。本第１実施形態に係る携帯電話機では、テレビ電話における表示映像としての画像データは、前記カメラ３３による撮像で取得する。
【００２６】
前記コンパンダ１７は、ＰＣＭコーデック１８から出力されたディジタルオーディオ信号より入力音声のエネルギ量を検出し、この検出結果に基づいて送信データレートを決定する。そして、前記ディジタルオーディオ信号を前記送信データレートに応じたフォーマットの信号に符号化し、これによりオーディオデータを生成する。また、制御ユニット２３等から出力された画像データを、所定のビットレートで符号化（エンコード処理）する。そして、これらのオーディオデータ及び画像データを多重分離部で所定の伝送フォーマットに従いパケット化し、この送信パケットデータをＣＤＭＡ信号処理ユニット１６へ出力する。なお、制御ユニット２３から電子メールが出力された場合にも、この電子メールを前記送信パケットデータに多重化する。
【００２７】
ＣＤＭＡ信号処理ユニット１６は、前記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、前記スペクトラム拡散された信号をＱＰＳＫ（Ｑｕａｄｒａｔｕｒｅ  Ｐｈａｓｅ  Ｓｈｉｆｔ   Ｋｅｙｉｎｇ）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように前記無線信号を高周波増幅する。この増幅された無線信号は、アンテナ共用器１２を介してアンテナ１１に供給され、このアンテナ１１から図示しない基地局へ向けて送信される。
【００２８】
電源回路２６は、バッテリ２５の出力をもとに所定の動作電源電圧Ｖccを生成して各回路部に供給する。バッテリ２５は充電回路２９により充電される。
【００２９】
また、詳しくは図７に示すフローチャートを参照して後述するが、本第１実施形態に係る携帯電話機においては、前記制御ユニット２３は、前記ＲＳＳＩまたは前記ＳＮＩＲ、または双方に基づいて電波感度の状態をチェックし、且つ該チェック結果に基づいて、テレビ電話機能の利用時等における前記コンパンダ１７による画像データのエンコード処理の際のエンコードルールの設定変更を行う。具体的には、以下の通りである。
【００３０】
まず、前記制御ユニット２３は、前記ＲＳＳＩまたは前記ＳＮＩＲ、または双方から、所定の算出式により電波感度指数を算出する。そして、該電波感度指数が所定の閾値を超えたか否かを判定する。なお、この電波感度指数の値が低いほど、前記電波感度は良好であるとする。
【００３１】
ここで、前記制御ユニット２３は、前記電波感度指数が前記所定の閾値を超えていないと判定した場合、前記コンパンダ１７によって前記画像データをエンコード処理する際のエンコードルールを、初期設定ビットレート（高ビットレート）のエンコードルールに設定する（エンコードルールの変更を行わない）。
【００３２】
一方、前記制御ユニット２３は、前記電波感度指数が前記所定の閾値を超えていると判定した場合、前記コンパンダ１７によって前記画像データをエンコード処理する際のエンコードルールを、初期設定ビットレートよりも低ビットレートのエンコードルールに設定する（エンコードルールの変更を行う）。
【００３３】
つまり、本第１実施形態に係る携帯電話機においては、前記制御ユニット２３は、前記ＲＳＳＩ及び前記ＳＮＩＲに基づいて、前記コンパンダ１７によるエンコード処理の際のエンコードルール（ビットレート）を決定する。
【００３４】
以下、本第１実施形態に係る携帯電話機の外観の一例を、図３及び図４を参照して説明する。
【００３５】
ここで、図３は、携帯電話機１を約１８０度開いた時の外観図であり、図３（Ａ）は正面図、図３（Ｂ）は側面図である。また、図４は携帯電話機１を閉じた時の外観図であり、図４（Ａ）は正面図、図４（Ｂ）は側面図である。ここで、携帯電話機１においては、上筐体部２Ａと下筐体部２Ｂとが、ヒンジ部２Ｃを介して接続されている。
【００３６】
前記上筐体部２Ａは、ＬＣＤ等から成る前記ディスプレイ２８、受信した音声を発声するレシーバとしての前記スピーカ２０、携帯電話機１の状態を検知するための磁気センサ３ａ，３ｃ、前記カメラ３３、ＬＣＤ等から成るサブディスプレイ２８ａ、及び静電タッチパッド４を有している。ここで、前記サブディスプレイ２８ａと前記静電タッチパッド４とは、上筐体部２Ａの同一の面上に備えられている。同様に、前記スピーカ２０と、前記ディスプレイ２８と、前記カメラ３３とは、前記筐体部２Ａの同一の面上に備えられている。
【００３７】
前記下筐体部２Ｂは、数字、文字、携帯電話機１の操作等を入力するためのキー５Ａ、サイドキー５Ｂ、集音するためのマイクロホン（図４（Ａ）においては送話口を指し示している）２１、及び携帯電話機１の状態を検知するための磁気センサ３ｂ、３ｄを有している。なお、図４に示す前記キー５Ａ及び前記サイドキー５Ｂは、図１に示す前記入力デバイス２７に対応する。
【００３８】
なお、前記上筐体部２Ａ及び前記下筐体部２Ｂに設けられている磁気センサ３ａ乃至３ｄは、これらセンサ同士が所定の距離内まで近接した状態となると検出信号を出力する。ここで、前記各センサ３ａ乃至３ｄのうち、磁気センサ３ａと磁気センサ３ｂとから成る対は、上筐体部２Ａと下筐体部２Ｂとが重なり合っているか否かを検出する為の対である。
【００３９】
以下、前記ディスプレイ２８の表示例、及び前記キー５Ａの配置例を説明する。ここで、図５（Ａ）は前記ディスプレイ２８の表示例、図５（Ｂ）は前記キー５Ａの配置例を示す図である。
【００４０】
図５（Ａ）に示すように、前記ディスプレイ２８には、一番上の行（以降、上ピクト行と称する）には、現在のアンテナ１１の電波感度のレベル（前記ＲＳＳＩまたは前記ＳＮＩＲ、または双方に基づいて前記制御ユニット２３により算出される）を示すアンテナピクト５１と、携帯電話機１の現在の電池残量を示す電池ピクト５２と、現在の時刻を表示する時刻表示５３と、ＢＴ（Ｂｌｕｅｔｏｏｔｈ（登録商標））の起動中に表示されるＢＴアイコン５４と、例えばＭｕｓｉｃ  Ｐｌａｙｅｒ（以降、ＭＰと称する）が起動されているときに表示されるミュージックアイコン５５とが表示されている。
【００４１】
ここで、前記ＢＴアイコン５４は、ＢＴの接続中は青色でアイコンの背景が表示（図の楕円の中が青色）され、サーバ動作（ＢＴ接続待ち状態）の際には白色で表示（図の楕円の中が白色）される。そして、ＢＴ接続がなされていないとき（ＢＴリンクが切断されたときも含む）は消灯するよう制御される。
【００４２】
また、前記ミュージックアイコン５５は、前述のとおりＭＰが起動されているときに表示されるが、バックグラウンドミュージック（以降、ＢＧＭと称する）として再生されている時にも表示されており、それ以外のときは消灯するよう前記制御ユニット２３に制御される。
【００４３】
ところで、前記ディスプレイ２８の一番下の行（以降、下ピクト行と称する）には、当該時点において、ソフトキー左６４、確定キー６５（十字キー６７の中心部）、ソフトキー右６６が押圧操作された場合に実行される機能の簡単な説明が、左下ピクト５６、中下ピクト５７、右下ピクト５８として示されている。ここで、前記ソフトキー左６４については前記左下ピクト５６、前記確定キー６５については前記中下ピクト５７、前記ソフトキー右６６については前記右下ピクト５８がそれぞれ対応している。
【００４４】
たとえば、図５（Ａ）に示す表示が前記ディスプレイ２８に為されている場合、前記ソフトキー左６４が押圧操作されると、“戻る”という機能が実行され、前記確定キー６５が押圧操作されると、同図においては図示されていないが、現在フォーカスが当たっている機能が選択される。また、前記ソフトキー右６６が押圧操作されると、“サブメニュー”が前記ディスプレイ２８に表示される。
【００４５】
ところで、図５（Ｂ）に示すように、前記下筐体部２Ｂは、前記キー５Ａとして、数字キー６１、「＊」キー６２、「＃」キー６３、ソフトキー左６４、確定キー６５、ソフトキー右６６、十字キー６７、メールキー６８、ブラウザキー６９、通話キー７０、電源キー７１、及びクリアキー７２を有する。
【００４６】
ここで、前記数字キー６１は、数字のほかに、かな文字、記号文字、アルファベット等が割り当てられており、例えば、「１」のキーには、数字「１」、「あ」「い」「う」「え」「お」のかな文字、及び「．」「＠」の記号が割り当てられており、「２」のキーには、数字「２」、「か」「き」「く」「け」「こ」のかな文字、及び「Ａ」「Ｂ」「Ｃ」「ａ」「ｂ」「ｃ」などのアルファベットが割り当てられている。
【００４７】
そして、前記「＊」キー６２には「＊」が割り当てられている。また、この「＊」キー６２は、文字入力状態において記号一覧、絵文字一覧を呼び出す為のキーでもある。前記「＃」キー６３には「＃」が割り当てられている。また、この「＃」キー６３は、文字入力状態において、数字キー６１による文字入力のトグルを逆にする為のキーでもある。
【００４８】
前記十字キー６７は、上キーと、下キーと、左キーと、右キーと、確定キー６５とを有する。すなわち、前記十字キー６７は、カーソル等を上下左右方向に移動する為のキーである。また、前記確定キー６５は、さまざまな機能を確定する為のキーである。前記メールキー６８は、メールの送受信機能を呼び出す為のキーである。また、前記ブラウザキー６９は、Ｗｅｂ等に接続する為のキーである。
【００４９】
前記通話キー７０は、主に電話を受ける際や、通常の発信をする際に用いるキーである。前記電源キー７１は、主に電源のＯＮ／ＯＦＦ、終話操作、及び機能や編集等の終了操作の為のキーである。さらに、前記クリアキー７２は、主として、機能や編集等をクリアする為、及び文字入力の際に文字を消去する為のキーである。また、前記ディスプレイ２８が待受画面を表示している時に、前記クリアキー７２が押圧操作されると、前記ディスプレイ２８にはメモ帳が呼び出されて表示される。
【００５０】
以下、本第１実施形態に係る携帯電話機の前記制御ユニット２３による動作制御について、図６及び図７に示すフローチャートを参照して説明する。図６は、テレビ電話機能利用時における画像データの処理に関連する動作制御を簡略的に示すフローチャートである。図７は、本第１実施形態に特有の動作制御である“エンコードルール設定変更”の一連の動作制御を示すフローチャートである。
【００５１】
まず、テレビ電話における送信画像として用いられる画像データを、前記カメラ３３によって取得する（ステップＳ１）。続いて、前記カメラ３３から出力される画像データをディジタル化した後、前記コンパンダ１７に入力し、前記コンパンダ１７によって前記画像データを所定のビットレートにて送信できるようにエンコード処理する（ステップＳ２）。
【００５２】
なお、詳しくは図７に示すフローチャートを参照して説明するが、本第１実施形態に係る携帯電話機においては、ステップＳ２のエンコード処理を行う前に、電波感度の状態チェック結果に基づいて、適宜前記ステップＳ２のエンコード処理における“エンコードルールの設定変更（ビットレートの設定変更）”を行う（ステップＳ１０）。
【００５３】
ところで、前記ステップＳ２における処理を終えた後は、前記画像データに対して図１を参照して説明した各種処理を施し、前記アンテナ共用器１２を介して前記アンテナ１１から図示しない基地局へ向けて送信する（ステップＳ３）。その後、前記ステップＳ１へ戻る。
【００５４】
以下、前記制御ユニット２３による“エンコードルールの設定変更”の一連の動作制御（前記ステップＳ１０のサブルーチン）を、図７に示すフローチャートを参照して説明する。なお、図７に示すフローチャートにおける動作制御は、図６に示すフローチャートにおける動作制御とは独立して行われる。
【００５５】
まず、前記受信感度検出回路４１によって検出された前記ＲＳＳＩを受信し、当該受信信号における前記ＳＮＩＲを算出する（ステップＳ１０１）。続いて、前記ＲＳＳＩまたは前記ＳＮＩＲ、または双方に基づいて、前記電波感度の状態をチェックする（ステップＳ１０２）。具体的には、前記ステップＳ１０２においては、前記ＲＳＳＩまたは前記ＳＮＩＲ、または双方から、所定の算出式により電波感度指数を算出する。
【００５６】
そして、前記ステップＳ１０２において電波感度指数を算出した後、該電波感度指数が所定の閾値を超えたか否かを判定する（ステップＳ１０３）。このステップＳ１０３において、前記電波感度指数が前記所定の閾値を超えていないと判定した場合は、前記ステップＳ２における前記コンパンダ１７による前記画像データのエンコード処理の際のエンコードルールを、初期設定ビットレートのエンコードルールに設定する（ステップＳ１０４）。換言すれば、このステップＳ１０４においてはエンコードルールの設定変更を行わない。その後、前記ステップＳ１０１へ戻る。
【００５７】
一方、前記ステップＳ１０３において、前記電波感度指数が閾値を超えていると判定した場合は、前記ステップＳ２における前記コンパンダ１７による前記画像データのエンコード処理の際のエンコードルールを、前記初期設定ビットレートよりも低ビットレートのエンコードルールに設定する（ステップＳ１０５）。その後、前記ステップＳ１０１へ戻る。
【００５８】
以上説明したように、本第１実施形態によれば、電波状態の悪い環境下においてもスムーズに短時間で画像データの送信を行うことができる携帯端末装置を提供することができる。
【００５９】
したがって、本第１実施形態に係る携帯端末装置によれば、電波状態の悪い環境下においてデータ容量の大きい画像データの送信を行う場合、例えばテレビ電話機能を利用する場合であっても、当該画像データを受信する側の端末装置において、受信画像データの表示更新がスムーズに為される。つまり、当該画像データを受信する側の端末装置における、受信画像データの表示更新遅延を防ぐことができる。これにより、受信する側の端末装置のユーザーが、受信画像データの表示更新に対してストレスを感じることを防ぐことができる。
【００６０】
［第２実施形態］
次に、本発明の第２実施形態に係る携帯電話機について説明する。なお、前記第１実施形態と本第２実施形態との主な相違点は、前記第１実施形態においては“エンコードルールの設定変更”において設定することができるビットレートが２段階（初期設定ビットレート及び低ビットレート）であったのに対して、本第２実施形態においては“エンコードルールの設定変更”において設定することができるビットレートが３段階（初期設定ビットレート、中ビットレート、及び低ビットレート）である点である。ここでは、前記相違点を中心に、本第２実施形態に係る携帯電話機を説明する。
【００６１】
以下、本第２実施形態に係る携帯電話機における前記制御ユニット２３による“エンコードルールの設定変更”の一連の動作制御を、図８に示すフローチャートを参照して説明する。なお、前記第１実施形態において図７を参照して説明した動作制御と同様の動作制御を行うステップに関しては同様のステップ番号を付して説明を省略する。
【００６２】
前記ステップＳ１０２において前記ＲＳＳＩまたは前記ＳＮＩＲ、または双方から、所定の算出式により電波感度指数を算出した後、該電波感度指数が第１閾値を超えたか否かを判定する（ステップＳ２０３）。
【００６３】
前記ステップＳ２０３において、前記電波感度指数が前記第１閾値を超えていないと判定した場合は、前記ステップＳ２における前記コンパンダ１７による前記画像データのエンコード処理の際のエンコードルールを、初期設定ビットレートのエンコードルールに設定する（ステップＳ２０４）。換言すれば、このステップＳ２０４においてはエンコードルールの設定変更を行わない。その後、前記ステップＳ１０１へ戻る。
【００６４】
一方、前記ステップＳ２０３において、前記電波感度指数が前記第１閾値を超えていると判定した場合は、前記電波感度指数が第２閾値を超えているか否かを判定する（ステップＳ２０５）。ここで、前記第２閾値は、前記第１閾値よりも大きい値であるとする。
【００６５】
前記ステップＳ２０５において、前記電波感度指数が前記第２閾値を超えていないと判定した場合は、前記ステップＳ２における前記コンパンダ１７による前記画像データのエンコード処理の際のエンコードルールを、初期設定ビットレートよりも低いビットレートである“中ビットレート”のエンコードルールに設定する（ステップＳ２０６）。その後、前記ステップＳ１０１へ戻る。
【００６６】
ところで、前記ステップＳ２０５において、前記電波感度指数が前記第２閾値を超えたと判定した場合は、前記ステップＳ２における前記コンパンダ１７による前記画像データのエンコード処理の際のエンコードルールを、前記中ビットレートよりも低いビットレートである“低ビットレート”のエンコードルールに設定（エンコードルールの変更を行う）する（ステップＳ２０７）。その後、前記ステップＳ１０１へ戻る。
【００６７】
以上説明したように、本第２実施形態によれば、電波状態の悪い環境下においてもスムーズに短時間で画像データの送信を行うことができ、且つ前記第１実施形態に係る携帯端末装置に比べてより細かなエンコードルールの設定を行うことができる携帯端末装置を提供することができる。
【００６８】
したがって、本第２実施形態に係る携帯端末装置によれば、電波状態の悪い環境下においてデータ容量の大きい画像データの送信を行う場合、例えばテレビ電話機能を利用する場合であっても、当該画像データを受信する側の端末装置において、受信画像データの表示更新がスムーズに為される。つまり、当該画像データを受信する側の端末装置における、受信画像データの表示更新遅延を防ぐことができる。これにより、受信する側の端末装置のユーザーが、受信画像データの表示更新に対してストレスを感じることを防ぐことができる。なお、前記第１実施形態に係る携帯端末装置に比べて、エンコードルールの設定をより細かく行うことができるので、当該画像データを受信する側の端末装置における画像データの表示更新も、より最適な表示更新レートで行われる。
【００６９】
なお、上述したように前記電波状態指数を前記第１閾値または前記第２閾値と比較することでエンコードルールの決定をするのではなく、単純に前記ＲＳＳＩや前記ＤＲＣ（又は前記ＳＮＩＲ）に対応させてエンコードルールを決定しても勿論よい。この場合、前記ＲＳＳＩや前記ＤＲＣと、エンコードルールにおけるビットレートとの関係は、例えば図９に示すように設定すればよい。なお、図９に示す前記ＲＳＳＩや前記ＤＲＣの具体的な数値はあくまでも一例であって、それらの数値に限られないことは勿論である。
【００７０】
以上、第１実施形態及び第２実施形態に基づいて本発明を説明したが、本発明は上述した実施形態に限定されるものではなく、本発明の要旨の範囲内で種々の変形及び応用が可能なことは勿論である。
【００７１】
例えば、前記第１実施形態及び前記第２実施形態においては、前記電波感度指数が前記所定の閾値を超えたか否かを判断基準として、上述したエンコードルールの設定を行ったが、前記電波感度指数が所定の閾値を“所定時間以上”超えていたか否かを判断基準として、上述したエンコードルールの設定を行っても勿論よい。
【００７２】
このようにすることで、前記電波感度指数が前記所定の閾値を“瞬間的に（僅かな時間だけ）”超えた場合、すなわちエンコードルールの変更を必要としない場合に、無駄にエンコードルールの変更が為されることを防ぐことができる。
【００７３】
なお、前記第１実施形態においては“エンコードルールの設定変更”において設定することができるビットレートを２段階、前記第２実施形態においては“エンコードルールの設定変更”において設定することができるビットレートを３段階（通常の高ビットレート、中ビットレート、及び低ビットレート）としたが、“エンコードルールの設定変更”において設定することができるビットレートを４段階以上にしても良いことは勿論である。
【００７４】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【００７５】
【図１】本発明の第１実施形態に係る携帯電話機の構成を示すブロック図。
【図２】ＥＶＤＯシステム Ｒｅｖ．ＡにおけるＣ／Ｉ対ＤＲＣの対応表の一例を示す図。
【図３】（Ａ）は、本発明の第１実施形態に係る携帯電話機を約１８０度開いた時の外観図。（Ｂ）は、同側面図。
【図４】（Ａ）は、本発明の第１実施形態に係る携帯電話機を閉じた時の正面図。（Ｂ）は、同側面図。
【図５】（Ａ）は、ディスプレイの表示例を示す図。（Ｂ）は、キーの配置の一例を示す図。
【図６】テレビ電話機能利用時における画像データの処理に関連する動作制御を簡略的に示すフローチャートを示す図。
【図７】本発明の第１実施形態に係る携帯電話機における制御ユニットによる“エンコードルールの設定変更”の動作制御を示すフローチャートを示す図。
【図８】本発明の第２実施形態に係る携帯電話機における制御ユニットによる“エンコードルールの設定変更”の動作制御のフローチャートを示す図。
【図９】ＲＳＳＩ及びＤＲＣとビットレートとの関係の一例を示す図。
【符号の説明】
【００７６】
１…携帯電話機、  ２Ａ…上筐体部、  ２Ｂ…下筐体部、  ２Ｃ…ヒンジ部、  ２Ｂ…下筐体部、  ３ａ，３ｂ，３ｃ，３ｄ…磁気センサ、  ４…静電タッチパッド、  ５Ａ…キー、  ５Ｂ…サイドキー、  １１…アンテナ、  １２…アンテナ共用器、  １３…受信回路、  １４…周波数シンセサイザ、  １５…送信回路、  １６…ＣＤＭＡ信号処理ユニット、  １７…圧縮伸長処理ユニット、  １８…ＰＣＭ符号処理ユニット、  １９…受話増幅器、  ２０…スピーカ、  ２１…マイクロホン、  ２２…送話増幅器、  ２３…制御ユニット、  ２８…ディスプレイ、  ３３…カメラ、  ４１…受信感度検出回路、  ５６…左下ピクト、  ５７…中下ピクト、  ５８…右下ピクト、  ６１…数字キー、  ６２…「＊」キー、  ６３…「＃」キー、  ６４…ソフトキー左、  ６５…確定キー、  ６６…ソフトキー右、  ６７…十字キー、  ６８…メールキー、  ６９…ブラウザキー、  ７０…通話キー、  ７１…電源キー、  ７２…クリアキー。
【図１】
2008067226.tif 000003
【図２】
2008067226.tif 000004
【図３】
2008067226.tif 000005
【図４】
2008067226.tif 000006
【図５】
2008067226.tif 000007
【図６】
2008067226.tif 000008
【図７】
2008067226.tif 000009
【図８】
2008067226.tif 000010
【図９】
2008067226.tif 000011